(57)【要約】      （修正有）【課題】綺麗に且つ容易に装着可能とした着物を提供する。【解決手段】左右の前身頃が、それぞれ、ウエスト部分で縫い合わされた前身頃上部及び前身頃下部１０４からなり、左右の衽が、それぞれ左右の前身頃上部及び前身頃下部１０８、１１４の縫い合わせ部分の延長線上で縫い合わされた衽上部及び衽下部からなり、前身頃上部と前身頃下部には、それらの縫い合わせ部分にそれぞれダーツ１０４Ａ、１１０Ａをとり、縫い合わせ部分の幅を前身頃の他の部分よりも狭くする。【選択図】図１
2016027219.tif 000002
【特許請求の範囲】
【請求項１】
肩山から着用者の前後に延びる左右の前身頃及び後身頃、該左右の前身頃に縫い合わされる左右の衽を有する、対丈仕様の着物であって、
左右の前身頃が、それぞれ、ウエスト部分で縫い合わされた前身頃上部及び前身頃下部からなり、
左右の衽が、それぞれ左右の前身頃上部及び前身頃下部の縫い合わせ部分の延長線上で縫い合わされた衽上部及び衽下部からなり、
前身頃上部と前身頃下部には、それらの縫い合わせ部分にそれぞれダーツをとり、縫い合わせ部分の幅を前身頃の他の部分よりも狭くしたことを特徴とする着物。
【請求項２】
前身頃下部と縫い合わされた前身頃上部の下端縁が肩山に平行な水平とされ、
前身頃下部が、後身頃下部と縫い合わされた垂直方向に延びる第１の側縁と、当該前身頃下部がパーツとして平面上に置かれた状態で第１の側縁から直角方向に延びる下端縁と、同状態で該下端縁から第１の側縁に平行に該第１の側縁より短く延びる第２の側縁と、同状態で第１及び第２の側縁の上端間に傾斜して延びる上端縁とを有し、該上端縁が前身頃上部の該下端縁に縫い合わされ、該第２の側縁が衽に縫い合わされている請求項１に記載の着物。
【請求項３】
前身頃下部が前身頃上部よりも幅広とされ、前記ダーツにより、前身頃下部の該上端縁と前身頃上部の下端縁との縫い合わせ長さを等しくしている請求項２に記載の着物。
【請求項４】
衽上部が、該衽上部と縫い合わされる衿及び前身頃上部との間に配置される三角形状とされ、
衽下部が衽上部の三角形の底辺をなす下端縁に縫い合わされた上端縁と、該上端縁の一端から延びて前記前身頃下部の第２の側縁に縫い合わされた第１の衽側縁と、該上部縁の他端から延び衿が縫い付けられる傾斜縁と、該傾斜縁から下方に延びる第２の衽側縁と、第１の衽側縁及び第２の衽側縁の間に延びる下端縁とを有し、該下端縁は当該衽下部が縫い合わされた前身頃下部の下端縁の延長線上に延びるようにされていることを特徴とする請求項２又は３に記載の着物。
【請求項５】
更に、当該着物とは別体に形成されて着用者のウエスト部分の位置において着物の周りに装着される帯状おはしょり材を有し、該帯状おはしょり材は、その一端から着用者のウエストの周りに一回り巻かれて同帯状おはしょり材の該一端を越えた他端の位置まで延びる長さとされ、該他端から該一端に向けた該帯状おはしょり材の長さ方向において順に、当該着物の上前となる左衿、左衽及び左前身頃並びに左後見頃、右後身頃及び右前身頃にそれぞれ対応する衿部、左衽部、左前身頃部、左後見頃部、右後身頃部及び右前身頃部を有し、右前身頃部、右後身頃部及び左後身頃部は上下方向の幅を同じとされ、左前身頃部、左衽部及び衿部はそれらの下端縁が衿部に向かうに従って下方に連続して傾斜するように次第に上下方向幅が広くなるようにされている請求項１乃至４のいずれか一項に記載の着物。
【請求項６】
左右の衽の衽上部及び衽下部の縫い合わせ部分に対応する位置で左右の衿先部分に取り付けられた左右のベルト装着用布であって、それぞれ衽上部及び衽下部の縫い合わせ部分の延長線上で衿先部分から延出する上部辺と、該上部辺の先端から斜め下方に延びて衿先部分まで延びる傾斜辺とを有する三角形布部を有する左右のベルト装着用布と、
一端がベルト装着用布に取り付けられて該上部辺の先端から延びる弾力的に伸縮可能なベルトであって、それぞれ着用者のウエスト部分の周りをほぼ一回りする長さを有する、弾力的で伸縮可能な一対のベルトと、
該ベルトの先端に取り付けられ相互に連結される連結具と
を有する請求項１乃至５のいずれか一項に記載の着物。
【請求項７】
当該着物の仕立て生地を色や柄やテクスチャーが異なる表生地及び裏生地からなるものとし、当該着物をリバーシブルとした請求項１乃至６のいずれかに記載の着物。
【請求項８】
左右の前身頃下部及び左右の衽下部がそれぞれ左右対称形状で同寸法とされている請求項７に記載の着物。
【発明の詳細な説明】
【技術分野】
【０００１】
本発明は、簡易に且つ美しく着付けすることができるようにした着物に関する。
【背景技術】
【０００２】
近年、女性の着物（和服）に対する関心は高まりを見せているが、着物を気軽に着用する人の数は多くには至っていない。また、外国から日本への観光客は着物に対し興味、関心を寄せることも多くみられるが、ほとんどの場合、着物を購入し着用するまでには至っていない。
【０００３】
これは主に着物の着付けの難しさによるものと考えられる。
着物の仕立ては、大まかに述べれば、細長い布地（反物）を所要の長さに裁断して着物の各部位とし、それを縫い合わせて作るようになっており、洋服の仕立てにおける着用者の体の部位に合わせた種々の形の布地を裁断して縫製するのとは異なる。このために、身体に装着される着物は、そのままでは身体の凹凸に合わず、帯を締めた場合に多くの襞（ひだ）がよるため着物を綺麗に着用するためには、そのような襞などを補整するための着付け技術、紐やパッドなどの補整用具が必要になるなど、着物の着付けを難しいものとしている。
【０００４】
また、女性用着物は、その上下方向での長さ（身丈）が、それを着用したときの上下方向の長さ（着丈）よりも長く作られており、着用するときには、着物の裾が着用者の略くるぶし部分の位置となるように、着用者の腰部分で着物を手繰りあげて紐で留め、手繰り上げた部分をその紐の上から下方に折り返し、その上から帯を締めるようになっており、帯の下から上記折り返し部分が少し下方に出るようにして、「おはしょり」として着物の装飾部分としている。このおはしょりを綺麗に処理するにも技術を要する。
【０００５】
これに対し、例えば、特許文献１には、身丈を着丈と同寸に短くし（すなわち、対丈（ついたけ）とし）、着付けの際の上記折り返し部分の必要を無くして（従って、「おはしょり」を無くして）着付けを容易にし、更に、着物自体に取り付けたベルトを着用した着物のまわりに廻して留め、着物の着用状態を維持するようにすることにより着付けを更に容易にした着物が開示されている。特許文献２は対丈の着物に対して装着して「おはしょり」様の装飾とする「おはしょりベルト」が開示されている。特許文献３には、着物におはしょりを形成して縫合し、おはしょりが着物に対して固定されるようにしたものが開示されている。この着物では、裾が脇裾から裾先にかけて持ち上げられるように前身頃及び衽（おくみ）の部分のおはしょりを作り、簡単で且つ美しく着付けのできるようにしている。特許文献４には「着物風ドレス」と称するものが開示されており、このドレスでは着用者の体形に合うように、前身頃を上半部と下半部とに分けて縫合し、縫合線をＳ状にしたり、縫合線に沿ってダーツを設けたりすることにより、簡単で美しい着付けが可能であるとしている。
【先行技術文献】
【特許文献】
【０００６】
【特許文献１】特開２００７−６３７３６号
【特許文献２】特開平１１−１２８１０号
【特許文献３】特開２００５−３４４２４４号
【特許文献４】特開２００７−２３１４６４号
【発明の概要】
【発明が解決しようとする課題】
【０００７】
本発明は、上記特許文献と同様に、簡単で容易に着付けすることができるようにした着物を提供することを目的とするものである。
【課題を解決するための手段】
【０００８】
すなわち、本発明は、
肩山から着用者の前後に延びる左右の前身頃及び後身頃、該左右の前身頃に縫い合わされる左右の衽を有する、対丈仕様の着物であって、
左右の前身頃が、それぞれ、ウエスト部分で縫い合わされた前身頃上部及び前身頃下部からなり、
左右の衽が、それぞれ左右の前身頃上部及び前身頃下部の縫い合わせ部分の延長線上で縫い合わされた衽上部及び衽下部からなり、
前身頃上部と前身頃下部には、それらの縫い合わせ部分にそれぞれダーツをとり、縫い合わせ部分の幅を前身頃の他の部分よりも狭くしたことを特徴とする着物を提供する。
【０００９】
この着物では、上記の如くダーツを取っているので、着用者が着物を装着するだけで着用者のウエスト部分に着物がフィットし、着付けが容易になるとともに着崩れが生じにくいものとすることができる。ダーツはそれを上記縫い合わせ部分に取るようにしたので、容易に作ることができ、また、前身頃上部及び前身頃下部にそれぞれ所要数のダーツをとることが可能であり、着用者の胸部及び臀部のサイズを考慮してそれら前身頃上部及び前身頃下部の幅を異なるものにできるなど仕立てに多様性をもたせることができる。更に、左右の衽が、着用者のウエスト部分で縫い合わされる衽上部及び衽下部からなるようにしているので、前身頃上部及び前身頃下部にダーツを取ることによる変形の影響を衽上部と衽下部の形状サイズを適宜調整して縫製することにより補整することが可能となる。
【００１０】
また、前身頃下部と縫い合わされた前身頃上部の下端縁が肩山に平行な水平とされ、
前身頃下部が、後身頃下部と縫い合わされた垂直方向に延びる第１の側縁と、当該前身頃下部がパーツとして平面上に置かれた状態で第１の側縁から直角方向に延びる下端縁と、同状態で該下端縁から第１の側縁に平行に該第１の側縁より短く延びる第２の側縁と、同状態で第１及び第２の側縁の上端間に傾斜して延びる上端縁とを有し、該上端縁が前身頃上部の該下端縁に縫い合わされ、該第２の側縁が衽に縫い合わされるようにすることができる。
【００１１】
前身頃下部と前身頃上部の縁の関係をこのようにすることにより、当該着物を装着したときに前身頃下端縁が後身頃から離れるに従い上方に引き上げられた状態となり、当該着物の下半身が裾部分で窄（すぼ）められた綺麗な輪郭となる。
【００１２】
また、
衽上部が、該衽上部と縫い合わされる衿及び前身頃上部との間に配置される三角形状とされ、
衽下部が衽上部の三角形の底辺をなす下端縁に縫い合わされた上端縁と、該上端縁の一端から延びて前記前身頃下部の第２の側縁に縫い合わされた第１の衽側縁と、該上部縁の他端から延び衿が縫い付けられる傾斜縁と、該傾斜縁から下方に延びる第２の衽側縁と、第１の衽側縁及び第２の衽側縁の間に延びる下端縁とを有し、該下端縁は当該衽下部が縫い合わされた前身頃下部の下端縁の延長線上に延びるようにすることができる。
このようにすることにより、当該着物を装着したときに衽下部の下端縁が前身頃の下端縁と共に引き上げられた状態となり、当該着物の下半身が裾部分で窄められたより綺麗な輪郭となる。
【００１３】
また、
前身頃下部を前身頃の部よりも幅広とし、前記ダーツにより、前身頃上部の下端縁及び前身頃下部の上端縁の縫い合わせ長さを等しくすることができる。従来の着物では前身頃は、上部から下部にかけて一定の幅とされているが、本願発明に係る着物では前身頃上部と前身頃下部の幅を異なるものとして着用者の体型に合わせることを可能としている。
【００１４】
当該着物は更に、着物とは別体に形成されて着用者のウエスト部分の位置において着物の周りに装着される帯状おはしょり材を有し、該帯状おはしょり材は、その一端から着用者のウエストの周りに一回り巻かれて同帯状おはしょり材の該一端を越えて位置の他端まで延びる長さとされ、該他端から該一端に向けて順に、当該着物の上前となる左衿、左衽及び左前身頃並びに左右の後見頃及び右前身頃にそれぞれ対応する衿部、左衽部、左前身頃部、左右の後見頃部及び右前身頃部を有し、右前身頃部及び左右の後身頃部は上下方向の幅を同じとされ、左前身頃部、左衽部及び衿部はそれらの下端縁が衿部に向かうに従って下方に連続して傾斜するように次第に上下方向幅が広くなるようにすることができる。
【００１５】
この帯状おはしょりを装着するときは、衿部、左衽部、左前身頃部、左右の後見頃部及び右前身頃部がそれぞれ着物の上前となる左衿、左衽及び左前身頃並びに左後見頃、右後身頃及び右前身頃に対応する位置となるようにし、左前身頃部、左衽部及び衿部はそれらの傾斜している下端縁の部分を着物との間に折り返して帯状おはしょり材の上下方向の幅が全長に亘ってほぼ同じとなるようにする。このようにすることにより、その折り返し部分が従来の着物でのおはしょりと全く同様に見えるようにすることができる。
【００１６】
更に本発明に係る着物においては、
左右の衽の衽上部及び衽下部の縫い合わせ部分に対応する位置で左右の衿先部分に取り付けられた左右のベルト装着用布であって、それぞれ衽上部及び衽下部の縫い合わせ部分の延長線上で衿先部分から延出する上部辺と、該上部辺の先端から斜め下方に延びて衿先部分まで延びる傾斜辺とを有する三角形布部を有する左右のベルト装着用布と、
一端がベルト装着用布に取り付けられて上記上部辺の先端から延びる弾力的に伸縮可能なベルトであって、それぞれ着用者のウエスト部分の周りをほぼ一回りする長さを有する、弾力的で伸縮可能な一対のベルトと、
該ベルトの先端に取り付けられ相互に連結される連結具と
を有するようにすることができる。
着物の着用に際しては、左衿及び右衿に取り付けたベルトを、それぞれ、着用者を上から見て、時計方向及び反時計方向に廻し、背中部分で交差させ、身体の前に至ったベルト先端の連結具を相互に連結することにより、当該着物をウエスト部分で絞った状態に保持する。これにより当該着物は、着用者の身体の凹凸を余り考えることなく、装着して連結具を相互連結するだけで着用者のウエスト部分の周りに安定して締め留めることができ、綺麗な着付けを簡単に安定して維持することができる。
【００１７】
また、上述の着物の仕立て生地を色や柄やテクスチャーが異なる表生地及び裏生地からなるものとし、当該着物をリバーシブルとすることができる。この場合、左右の前身頃下部及び左右の衽下部がそれぞれ左右対称形状寸法とすることが好ましい。
【００１８】
以下、本発明に係る着物の実施形態を添付図面に基づき説明する。
【図面の簡単な説明】
【００１９】
【図１】本発明に係る着物を構成するパーツである左右の衽下部、左右の前身頃下部並びに右後身頃下部を示す平面図である。左後身頃下部は右後身頃下部と左右対称形であるため、省略してある。これら各パーツ間の関係を分かりやすくするために各パーツが縫製されたときの寸法（ｃｍ）を例示してあり、縫い代は示していない。
【図２】図１の左前身頃下部及び（図１に示さない）左後身頃下部に縫い合わせられる、肩山から延びる左前身頃上部及び左後身頃上部を示す平面図である。
【図３】図２の左前身頃上部及び図１の左衽下部に縫い合わせられる左衽上部を示す平面図である。
【図４】図２の左前身頃上部に縫い付けられる左袖前部の平面図であり、図２の左後身頃上部に縫い着けられる図示しない左袖後部とともに左袖を形成する。左袖後部は左袖前部と同形同寸法とされる。右袖前部及び右袖後部は左袖前部と同形同寸法であり図示は省略している。
【図５】図１乃至図４に示すパーツを縫製して作られた着物に装着するため、着物とは別体に作られた帯状おはしょり材の平面図である。
【図６】着物に付けられた装着用のベルトを示す図である。
【図７】装着用ベルトの連結具を相互連結して着物を着用した状態を示す図である。
【図８】装着用ベルトの端部をベルト装着用布で着物の衿先に装着した状態を示す図である。
【発明を実施するための形態】
【００２０】
前述したように本発明に係る図示の着物は対丈（ついたけ）仕様とされており、着付けの際に裾（すそ）部分を手繰り上げて「おはしょり」とする長さはない。図１乃至図４に示す当該着物のパーツ及びその関係を述べれば次の通りである。
【００２１】
図２に示すのは、左側の「肩山」から着用者の前側（図では下方）に延びる左前身頃の上部（以下、「左前身頃上部」とする。以下、同様）１００及び着用者の後側（図では上方）に延びる左後身頃上部１０２であり、一枚の生地として裁断されている。左前身頃上部１００の（「肩山」と平行で水平に延びる）下端縁１００ａには図１に示す左前身頃下部１０４の上端縁１０４ａが縫い合わされ、左後身頃上部１０２の（図で見て上端の）縁１０２ａには（図示しない）左後身頃下部が縫い合わされる。左前身頃上部１００の図で見て右側の傾斜縁１００ｂの下端から下方に延びる縦縁１００ｃには図３に示す三角形状の左衽上部１０６の縦縁１０６ａが縫い付けられ、同左衽上部１０６の下縁１０６ｂには図１の左衽下部１０８の傾斜した上端縁１０８ａが僅かに重なるようにして縫い合わされる。左衽下部１０８の図で見て右側縁１０８ｂは左前身頃下部１０４の左側縁１０４ｃに縫い付けられる。
【００２２】
図示はしないが、図２の左前身頃上部１００及び左後身頃上部１０２と左右対称形とされる右前身頃上部及び右後身頃上部が用意され、右前身頃下部１１０、右後身頃下部１１２及び右衽下部１１４が、上述した左前身頃下部、左後身頃下部及び左衽下部と同様にして右前身頃上部及び右後身頃上部に縫い付けられる。図示しないが右衽上部も左衽上部１０６と略同形同寸法にされ、右前身頃上部に縫い合わされる。左後身頃上部１０２及び（図示しない）右後身頃上部は図２に示す「背中心」に沿って縫い合わされ、右後身頃下部及び左後身頃下部も同様に「背中心」に沿って縫い合わされる。
【００２３】
図４に示す左袖前部１２０は、図で見て右側縁の上半部分１２０ａが左前身頃上部１００の図２で見て右側縁の上半部１００ｄに縫い付けられ、左後身頃上部１０２の図２で見て右側縁の上半部分１０２ｂに縫い付けられる同形同寸の図示しない左袖後部に縫い合わされて筒状の袖とされる。
【００２４】
本発明に係る着物は上述のように衽、前身頃及び後身頃を上部及び下部に分けて縫い合わせるようにし、それら縫い合わせの縁に沿って所要数のダーツ１００Ａ，１０２Ａ，１０４Ａ、１１０Ａ，１１２Ａをとるようにしている。これら衽、前身頃、後身頃などの上部及び下部の縫い合わせ部分の位置は着用者のウエスト部分の位置となるようにされており、上記ダーツをとることにより、縫い合わせ部分の幅がこれら上部及び下部の他の部分よりも狭くなるようにしている。例えば、左前身頃下部１０４では上端縁１０４ａに２．６ｃｍ及び２．７ｃｍのダーツをとってあり、従って、当該左前身頃下部１０４の下の方の部分に較べて５．３ｃｍだけ幅が小さくなっている。このため、本発明に係る着物の着用者は、着用しただけでウエスト周りが締まり、身体にフィットしたものとなり、従って、着付けが容易になるだけでなく、着崩れも生じにくく着心地のよいものとなる。
【００２５】
図示の例では左前身頃上部１００にとったダーツ１００Ａは１つであるのに対し、それと縫い合わされる左前身頃下部１０４のダーツ１０４Ａは２つとなっており、ダーツの取り幅が異なっている。これは縫い付け部分の上下になる着用者の胸部及び臀部のサイズを考慮したものである。
【００２６】
左前身頃上部１００の下端縁１００ａは「肩山」と平行に水平にされ（図２）、左前身頃下部１０４の下端縁１０４ｂも水平にされているのに対し、左前身頃下部１０４の上端縁１０４ａは左後身頃下部１０４から離れるに従って（図１では左方に行くに従って）下方に傾斜するようにされており、また、左衽下部１０８の上端縁１０８ａも左前身頃下部１０４の傾斜している上端縁１０４ａの延長線に沿って延びるように傾斜が付けられている。すなわち、左前身頃下部１０４の左衽下部１０８に縫い合わされる垂直方向に延びる側縁１０４ｃが、左後身頃下部と縫い合わされて垂直方向に延びる側縁１０４ｄよりも短くされており、衽下部１０８も同様にされている。このようにすることにより本発明に係る着物を身体の周りに装着した場合、左前身頃下部１０４及び左衽下部１０８の下端縁１０４ｂ、１０８ｃが、後身頃下部から離れるに従って上方に持ち上げられ裾周りが少し窄められた状態となり、着用時の裾周りの輪郭が美しいものとなる。従来の着物では、裾を持ち上げるようにして着付けをすることによりそのような輪郭を作ることが必要であったのに対して、本発明の着物では、身体の周りに装着しただけで自動的に美しい輪郭を得ることができる。
【００２７】
図示の例では、左前身頃下部と左前身頃上部との関係のみ明示しているが、左右の前身頃下部が前身頃上部よりも幅広とされ、ダーツをとることにより、前身頃の上部と下部との縫い合わせ長さを等しくしている。
【００２８】
図５は、本発明に係る着物が備える、当該着物とは別体に用意される帯状おはしょり材１２２を示している。この帯状おはしょり材１２２は、着用者のウエスト部分の位置において着物の周りに装着され、図示しない帯が、この帯状おはしょり材１２２の上から締められて帯状おはしょり材１２２の下部部分が帯の下から下方に延びて従来の「おはしょり」様に見えるようにされる。
【００２９】
帯状おはしょり材１２２は、その一端から着用者の胴に一回り巻かれて同帯状おはしょり材１２２の他端を越えた位置まで延びる長さとされ、該他端から該一端に向けて順に、着物の上前となる左衿、左衽及び左前身頃並びに左後見頃及び右前身頃にそれぞれ対応する衿部１２２ａ、左衽部１２２ｂ、左前身頃部１２２ｃ、左後見頃１２２ｄ、右後身頃部１２２ｅ及び右前身頃部１２２ｆを有している。図５に示すように、右前身頃部１２２ｆ、右後身頃部１２２ｅ及び左前身頃部１２２ｄは上下方向幅が同じとされ、左前身頃部１２２ｃ、左衽部１２２ｄ及び衿部１２２ａはそれらの下端縁が衿部１２２ａに向かいに従って下方に傾斜するように次第に幅広となるようにされている。帯状おはしょり材１２２を装着するときには、着物の左衿、左衽等にそれぞれ対応する位置にこれら衿部１２２ａ、左衽部１２２ｂ等が来るようにして、従来のおはしょりと同様に見えるようにする。
【００３０】
図６乃至図８に示すように、本発明に係る着物においては、左右の衽の衽上部（図８には左衽上部１０６のみ示す。以下、同様）及び衽下部１０８の縫い合わせ部分１０７に対応する位置で左右の衿先部分１２４に取り付けられた左右のベルト装着用布１２６であって、それぞれ衽上部１０６及び衽下部１０８の縫い合わせ部分１０７の延長線上で衿先部分１２４から延出する上部辺１２６ａと、該上部辺１２６ａの先端から斜め下方に延びて衿先部分１０７まで延びる傾斜辺１２６ｂとを有する三角形布部１２６ｃを有する左右のベルト装着用布１２６と、一端がベルト装着用布１２６に取り付けられて上部辺１２６ｂの先端から延びる弾力的に伸縮可能なベルト１３０であって、それぞれ着用者のウエスト部分の周りをほぼ一回りする長さを有する一対のベルト１３０と、該ベルト１３０の先端に取り付けられ相互に連結される連結具１３２とを有している。着物の着用時においては、右衿先部分から延びるベルト１３０を（着用者を上から見て）着用者の周りを反時計回りに廻して左身ヤツ口を通して身体の前まで延ばし、左衿先部分から延びるベルトを逆の時計方向に回し、身体の背部で相互に交差させ、身体の前まで延ばしてベルト１３０の先端に取り付けられている固定具１３２を相互に連結してウエスト周りの着物を締める。ベルトの締め付け力は、ベルト装着用布１２６の上述した三角形布部１２６ｃのために衿先部分に略均等に加わり、衿先部分を余り捩ることなく着用者の身体にフィットするようになる。
【００３１】
以上、本発明に係る着物の実施形態につき述べたが、本発明はこれに限定されるものではない。例えば、図面に示した寸法表示は例示に過ぎず、種々の寸法とされる。固定具１３２は相互に嵌合して固定連結を行うものや、いわゆる平面ファスナとすることもできる。上述の実施形態に係る着物においては、右前身頃下部１１０及び右衽下部１１４と左前身頃下部１０４及び左衽下部１０８とは左右対称とはしていない。すなわち、図１で見て、例えば右前身頃下部１１０の右側縁の長さは８９ｃｍであるのに対して、これに対応する左前身頃下部１０４の左側縁の長さは９２．３ｃｍとなっている。段落００２７で述べたように左右の前身頃下部及び衽下部の上縁部を傾斜させ、左右の前身頃上部及び衽上部に縫い合わせることにより、着付けをしたときに自然に裾端（褄）が持ち上がるようにしているが、右前身頃下部１１０及び右衽下部１１４と左前身頃下部１０４及び左衽下部１０８とを左右対称とはせずに上記の如き寸法差をもたせることにより、着付けをしたときに外側に出る左の裾端が、内側にある右の裾端（褄）より小さく持ち上げられるようになっている。これは通常の着物の着付けのときの裾の着付け処理と同様にするものである。しかし、本発明の他の実施形態では右前身頃下部１１０及び右衽下部１１４と左前身頃下部１０４及び左衽下部１０８とを左右対称形状（同寸法）として、着付けの際の左右の裾端の持ち上げ量が等しくなるようにされる。これは通常の着物の着付けにおける裾の着付け処理と微妙に異なることになるが、見た目には通常の着物の着付けの場合と同じように見える。このようにすれば、当該着物を裏表反転しても着物の外観のシルエットは同じとなる。従って、表生地及び裏生地を縫い合わるなどして表裏の柄や色やテクスチャーが異なる生地を使って着物を仕立てれば当該着物をリバーシブルなものとすることができる。
【符号の説明】
【００３２】
左前身頃上部１００；左前身頃上部の下端縁１００ａ；左前身頃上部の傾斜縁１００ｂ；左前身頃上部の縦縁１００ｃ；左前身頃上部の右側縁の上半部１００ｄ；左後身頃上部１０２；左後身頃上部の縁１０２ａ；左後身頃上部の上半部分１０２ｂ；左前身頃下部１０４；左前身頃下部の上端縁１０４ａ；左前身頃下部の下端縁１０４ｂ；左前身頃下部の側縁（第２の側縁）１０４ｃ；左前身頃下部の左側縁（第１の側縁）１０４ｄ；左衽上部１０６；左衽上部の縦縁１０６ａ；左衽上部の下縁１０６ｂ；衽上部及び衽下部の縫い合わせ部分１０７；左衽下部１０８；左衽下部の上端縁１０８ａ；衽下部の右側縁（第１の衽側縁）１０８ｂ；左衽下部の下端縁１０８ｃ；右前身頃下部１１０；右後身頃下部１１２；右衽下部１１４；左袖前部１２０；左袖前部の右側縁の上半部分１２０ａ；帯状おはしょり材１２２；衿部１２２ａ；左衽部１２２ｂ；左前身頃部１２２ｃ；左後見頃１２２ｄ；右後身頃部１２２ｅ；右前身頃部１２２ｆ；衿先部分１２４；ベルト装着用布１２６；上部辺１２６ａ；傾斜辺１２６ｂ；三角形布部１２６ｃ；ベルト１３０；固定具１３２
【図１】
2016027219.tif 000003
【図２】
2016027219.tif 000004
【図３】
2016027219.tif 000005
【図４】
2016027219.tif 000006
【図５】
2016027219.tif 000007
【図６】
2016027219.tif 000008
【図７】
2016027219.tif 000009
【図８】
2016027219.tif 000010